(57)【要約】【課題】記録媒体を移動させる際にシワが発生することを抑制すること。【解決手段】制御装置８０は、記録媒体５に関する情報である記録媒体情報と、記録媒体５を副走査方向Ｘに移動させるときのセンターピンチローラ７２毎の使用または不使用の情報である使用情報とが関連付けられたテーブルを記憶する記憶部８２と、記録媒体情報を設定する第１設定部８４と、第１設定部８４によって設定された記録媒体情報とテーブルとに基づいて、記録媒体５を副走査方向Ｘに移動させるときに使用するセンターピンチローラ７２を決定する第１決定部８６と、第１決定部８６によって決定された使用するセンターピンチローラ７２を通知する第１通知部８８と、を備えている。【選択図】図３
2020116924.tif 000002
【特許請求の範囲】
【請求項１】
記録媒体が載置される載置台と、
主走査方向に移動可能であり、前記載置台に載置された前記記録媒体にインクを吐出するインクヘッドと、
前記載置台に載置された前記記録媒体を前記主走査方向と交わる副走査方向に移動させる媒体移動機構と、
前記インクヘッドおよび前記媒体移動機構を制御する制御装置と、を備え、
前記媒体移動機構は、
前記載置台より上方に配置され、前記記録媒体の前記主走査方向の両端部を押さえる一対のサイドピンチローラと、
前記一対のサイドピンチローラの間に設けられ、前記記録媒体を押さえる少なくとも一つのセンターピンチローラと、
前記主走査方向に並び、前記サイドピンチローラおよび前記センターピンチローラより下方に配置され、前記サイドピンチローラとの間および前記センターピンチローラとの間に前記記録媒体を挟んで前記記録媒体を前記副走査方向に移動させる複数の駆動ローラと、を備え、
前記制御装置は、
前記記録媒体に関する情報である記録媒体情報と、前記記録媒体を前記副走査方向に移動させるときの前記センターピンチローラ毎の使用または不使用の情報である使用情報とが関連付けられたテーブルを記憶する記憶部と、
前記記録媒体情報を設定する第１設定部と、
前記第１設定部によって設定された前記記録媒体情報と前記テーブルとに基づいて、前記記録媒体を前記副走査方向に移動させるときに使用する前記センターピンチローラを決定する第１決定部と、
前記第１決定部によって決定された使用する前記センターピンチローラを通知する第１通知部と、を備えている、インクジェットプリンタ。
【請求項２】
前記サイドピンチローラおよび前記センターピンチローラは、ゴム材料から形成されており、
前記サイドピンチローラのゴム硬度は、前記センターピンチローラのゴム硬度より高い、請求項１に記載のインクジェットプリンタ。
【請求項３】
前記サイドピンチローラは、円錐台形状に形成され、
前記センターピンチローラは、円柱形状に形成され、
前記サイドピンチローラのうち前記センターピンチローラ側に位置する第１面の直径は、前記主走査方向に関して前記第１面の反対側に位置する第２面の直径より小さい、請求項１または２に記載のインクジェットプリンタ。
【請求項４】
前記制御装置は、
前記第１決定部によって決定された使用する前記センターピンチローラを用いて、前記載置台に載置された前記記録媒体を前記副走査方向にテスト搬送する搬送部と、
テスト搬送された前記記録媒体に発生したシワの情報であるシワ情報を設定する第２設定部と、
前記第１設定部によって設定された前記記録媒体情報と前記テーブルと前記シワ情報とに基づいて、前記記録媒体を前記副走査方向に移動させるときに使用する複数の前記センターピンチローラの中から使用しない前記センターピンチローラを決定する第２決定部と、
前記第２決定部によって決定された使用しない前記センターピンチローラを通知する第２通知部と、を備えている、請求項１から３のいずれか一項に記載のインクジェットプリンタ。
【請求項５】
前記シワ情報には、シワの発生場所に関する場所情報が含まれ、
前記第２決定部は、前記場所情報に基づいて、テスト搬送で使用された前記センターピンチローラのうち発生した前記シワに最も近い前記センターピンチローラを使用しないセンターピンチローラとする、請求項４に記載のインクジェットプリンタ。
【請求項６】
前記媒体移動機構は、
前記主走査方向に延び、前記一対のサイドピンチローラおよび複数の前記センターピンチローラを保持する保持シャフトと、
前記サイドピンチローラおよび前記センターピンチローラを前記駆動ローラに対して接近および離反させるように前記第１保持シャフトを回転させる回転手段と、を備え、
前記センターピンチローラが前記駆動ローラに対して接近することを阻止するストッパーを備えている、請求項１から５のいずれか一項に記載のインクジェットプリンタ。
【請求項７】
前記センターピンチローラは、前記保持シャフトに沿って前記主走査方向に移動可能に設けられ、
前記ストッパーは、前記主走査方向に関して前記駆動ローラと重ならない位置に配置されている、請求項６に記載のインクジェットプリンタ。
【請求項８】
請求項１から７のいずれか一項に記載のインクジェットプリンタと、
前記主走査方向に移動可能であり、前記載置台に載置された前記記録媒体を切断するカッターを有するカッティングヘッドと、を備えている、カッティングヘッド付きインクジェットプリンタ。
【発明の詳細な説明】
【技術分野】
【０００１】
本発明は、インクジェットプリンタおよびカッティングヘッド付きインクジェットプリンタに関する。
【背景技術】
【０００２】
従来から、記録紙や樹脂シート等からなる記録媒体に印刷を行うインクヘッドと、該記録媒体に印刷された画像の周囲を切断するカッターを有するカッティングヘッドとを備えたカッティングヘッド付きインクジェットプリンタが知られている。例えば特許文献１には、このようなカッティングヘッド付きインクジェットプリンタが開示されている。
【先行技術文献】
【特許文献】
【０００３】
【特許文献１】特許第４８５５５１０号公報
【発明の概要】
【発明が解決しようとする課題】
【０００４】
ところで、特許文献１に示すように、印刷時および切断時には記録媒体を押さえるピンチローラとピンチローラの下方に配置された駆動ローラとによって記録媒体を挟んで記録媒体を移動させている。ここで、ピンチローラには、記録媒体の両端部を押さえる一対のサイドピンチローラと、一対のサイドピンチローラの間に設けられた複数のセンターピンチローラとが含まれる。印刷時および切断時には記録媒体が載置される載置台から記録媒体が浮き上がらないように、サイドピンチローラと駆動ローラ、および、センターピンチローラと駆動ローラによって記録媒体を挟み込んでいる。
【０００５】
ここで、記録媒体のうちセンターピンチローラと接触する部分は印刷される領域に相当する。センターピンチローラと駆動ローラとによって記録媒体を強く挟み込むと、記録媒体にセンターピンチローラの通過した跡が残ったりする虞がある。このため、センターピンチローラが記録媒体を押さえる押圧力は、サイドピンチローラが記録媒体を押さえる押圧力より小さくなるように設定されることがある。しかしながら、センターピンチローラとサイドピンチローラとで押圧力を異ならせると、センターピンチローラおよびサイドピンチローラにおいて記録媒体の移動量に差が発生してしまい、記録媒体によってはシワが発生する虞がある。記録媒体にシワが発生してしまうと、画質が低下したり、記録媒体がインクヘッドと接触したりしてしまうといった不具合が発生する虞が高まる。
【０００６】
本発明はかかる点に鑑みてなされたものであり、その目的は、記録媒体を移動させる際にシワが発生することを抑制することができるインクジェットプリンタを提供することである。
【課題を解決するための手段】
【０００７】
本発明に係るインクジェットプリンタは、記録媒体が載置される載置台と、主走査方向に移動可能であり、前記載置台に載置された前記記録媒体にインクを吐出するインクヘッドと、前記載置台に載置された前記記録媒体を前記主走査方向と交わる副走査方向に移動させる媒体移動機構と、前記インクヘッドおよび前記媒体移動機構を制御する制御装置と、を備えている。前記媒体移動機構は、前記載置台より上方に配置され、前記記録媒体の前記主走査方向の両端部を押さえる一対のサイドピンチローラと、前記一対のサイドピンチローラの間に設けられ、前記記録媒体を押さえる少なくとも一つのセンターピンチローラと、前記主走査方向に並び、前記サイドピンチローラおよび前記センターピンチローラより下方に配置され、前記サイドピンチローラとの間および前記センターピンチローラとの間に前記記録媒体を挟んで前記記録媒体を前記副走査方向に移動させる複数の駆動ローラと、を備えている。前記制御装置は、前記記録媒体に関する情報である記録媒体情報と、前記記録媒体を前記副走査方向に移動させるときの前記センターピンチローラ毎の使用または不使用の情報である使用情報とが関連付けられたテーブルを記憶する記憶部と、前記記録媒体情報を設定する第１設定部と、前記第１設定部によって設定された前記記録媒体情報と前記テーブルとに基づいて、前記記録媒体を前記副走査方向に移動させるときに使用する前記センターピンチローラを決定する第１決定部と、前記第１決定部によって決定された使用する前記センターピンチローラを通知する第１通知部と、を備えている。
【０００８】
本発明のインクジェットプリンタでは、第１決定部は、第１設定部によって設定された記録媒体情報と記憶部に記憶されたテーブルとに基づいて、記録媒体を副走査方向に移動させるときに使用するセンターピンチローラを決定する。例えば、ユーザが記録媒体情報を設定することによって、記録媒体の性質に合せて、該記録媒体を副走査方向に移動させるときに使用されるセンターピンチローラが決定される。そして、第１通知部は、第１決定部によって決定された使用するセンターピンチローラを通知する。これにより、ユーザは、例えば使用しないセンターピンチローラを媒体移動機構から取り外したり、使用しないセンターピンチローラを媒体移動機構の所定の位置に移動させることによってセンターピンチローラと駆動ローラとの間に記録媒体を挟み込めないようにしたりして、使用するセンターピンチローラと駆動ローラとを用いて記録媒体を適切に挟むことができる。この結果、副走査方向に移動する記録媒体にシワが発生することが抑制される。このように、上記インクジェットプリンタによると、記録媒体情報を設定することによって、使用するセンターピンチローラが決定されるため、記録媒体を副走査方向に適切に移動させることができる。
【発明の効果】
【０００９】
本発明によれば、記録媒体を移動させる際にシワが発生することを抑制することができるインクジェットプリンタを提供することができる。
【図面の簡単な説明】
【００１０】
【図１】一実施形態に係るプリンタの正面図である。
【図２Ａ】インクヘッドユニットおよびカッティングヘッドユニットの正面図である。
【図２Ｂ】インクヘッドユニットおよびカッティングヘッドユニットの正面図である。
【図３】一実施形態に係るプリンタの制御系のブロック図である。
【図４】一実施形態に係るプリンタの一部を示す正面図である。
【図５】一実施形態に係るサイドピンチローラユニットを示す斜視図である。
【図６】一実施形態に係る左サイドピンチローラを示す正面図である。
【図７】一実施形態に係る右サイドピンチローラを示す正面図である。
【図８】一実施形態に係るセンターピンチローラユニットを示す斜視図である。
【図９】一実施形態に係るセンターピンチローラを示す正面図である。
【図１０】一実施形態に係るプリンタの一部を示す斜視図である。
【図１１】一実施形態に係るセンターピンチローラユニットの周辺構造を示す一部断面図である。
【図１２】一実施形態に係るテーブルである。
【図１３】一実施形態に係るプリンタの一部を示す正面図であり、一部のセンターピンチローラが不使用である場合を示す。
【図１４】他の一実施形態に係るプリンタの制御系のブロック図である。
【発明を実施するための形態】
【００１１】
＜第１実施形態＞
以下、図面を参照しながら、一実施形態に係るカッティングヘッド付きインクジェットプリンタ１００（以下、プリンタ１００とする。）について説明する。図１に示すように、本実施形態に係るプリンタ１００は、記録媒体５に対して印刷および切断（カッティング）が可能ないわゆるプリント＆カット機である。なお、ここで説明される実施形態は、当然ながら本発明を特に限定することを意図したものではない。また、同じ作用を奏する部材・部位には同じ符号を付し、重複する説明は適宜省略または簡略化する。
【００１２】
以下の説明では、左、右、上、下とは、プリンタ１００の正面にいるユーザから見た左、右、上、下をそれぞれ意味することとする。また、プリンタ１００から上記ユーザに近づく方を前方、遠ざかる方を後方とする。図面中の符号Ｆ、Ｒｒ、Ｌ、Ｒ、Ｕ、Ｄは、それぞれ前、後、左、右、上、下を表す。図面中の符号Ｙは主走査方向を表す。本実施形態では、主走査方向Ｙは、左右方向である。図面中の符号Ｘは副走査方向を表す。副走査方向Ｘは主走査方向Ｙと交差する方向（例えば、平面視で垂直に交差する方向）である。本実施形態では、副走査方向Ｘは前後方向である。ただし、上記方向は便宜的に定めたものに過ぎず、限定的に解釈すべきものではない。
【００１３】
記録媒体５は、例えば、長尺に形成され、ロール状に巻かれて用いられる。なお、記録媒体５は、ロール状に巻かれたものが所定の長さに切断されたシート状のものであってもよい。記録媒体５は、例えば、記録紙である。ただし、記録媒体５は、記録紙に限定されない。例えば、記録媒体５には、ポリ塩化ビニル（ＰＶＣ）、ポリエステルなどの樹脂材料から形成されたシート、台紙と台紙上に積層されかつ接着剤が塗布された剥離紙とからなるシール材等が含まれる。本実施形態の記録媒体５は、例えば、ポリ塩化ビニルシート材である。ポリ塩化ビニルシート材は、例えば、普通紙から形成された台紙（基材）と、ポリ塩化ビニルから形成された剥離紙と、台紙と剥離紙との間に配置された接着剤とから構成されている。剥離紙にはインクヘッド２２（図２Ａ参照）から吐出されたインクが定着する。なお、台紙および剥離紙の材料は上記のものに限定されないが、基材および剥離紙は典型的には相互に異なる材料から形成されている。本明細書において「切断」、「カッティング」とは、記録媒体５の厚み方向の全体を切断する場合（例えば、シール材の台紙および剥離紙の両方を切断する場合）と、記録媒体５の厚み方向の一部を切断する場合（例えば、シール材の台紙は切断せず、剥離紙のみを切断する場合）とが含まれる。
【００１４】
図１に示すように、プリンタ１００は、プリンタ本体１００ａと、脚１１と、操作パネル１２と、記録媒体５が載置されるプラテン１６と、インクヘッドユニット２０と、カッティングヘッドユニット３０と、キャリッジ移動機構４０と、媒体移動機構５５と、制御装置８０とを備えている。プリンタ本体１００ａは、主走査方向Ｙに延びたケーシングを有する。脚１１は、プリンタ本体１００ａを支持するものであり、プリンタ本体１００ａの下面に設けられている。操作パネル１２は、例えばプリンタ本体１００ａの右側の前面に設けられている。ただし、操作パネル１２の位置は特に限定されない。操作パネル１２は、例えば、作業者が印刷や切断に関する操作を行うものである。操作パネル１２は、表示部１２Ａと、入力部１２Ｂとを備えている。表示部１２Ａには、例えば、解像度、インクの濃さなどの印刷に関する情報、印刷中や切断中のプリンタ１００のステータス、後述する記録媒体情報、使用情報やシワ情報などが表示される。入力部１２Ｂは、印刷や切断に関する情報（例えば記録媒体情報やシワ情報を含む）を入力する。
【００１５】
プラテン１６は、記録媒体５への印刷および記録媒体５を切断する際、記録媒体５を支持するものである。プラテン１６には、記録媒体５が載置される。プラテン１６は、載置台の一例である。記録媒体５への印刷および記録媒体５の切断は、プラテン１６上で行われる。図１に示すように、プラテン１６は主走査方向Ｙに延びている。プラテン１６は、プリンタ本体１００ａに支持されている。
【００１６】
図１に示すように、プリンタ１００は、主走査方向Ｙおよび上下方向に延びる中央壁１４を備えている。中央壁１４は、プリンタ本体１００ａに支持されている。中央壁１４は、プラテン１６の上方に配置されている。中央壁１４とプラテン１６との間には、記録媒体５が通過可能な間隙が形成されている。プリンタ１００は、ガイドレール１５を備えている。ガイドレール１５は、主走査方向Ｙに延びる。ガイドレール１５は、中央壁１４に設けられている。ガイドレール１５は、プラテン１６の上方に配置されている。
【００１７】
図２Ａに示すように、インクヘッドユニット２０は、第１キャリッジ２１と、複数のインクヘッド２２と、を備えている。第１キャリッジ２１は、ガイドレール１５に係合している。第１キャリッジ２１は、ガイドレール１５に沿って主走査方向Ｙに移動可能に構成されている。インクヘッド２２は、プラテン１６に載置された記録媒体５にインクを吐出するノズル（図示せず）を有する。インクヘッド２２は、記録媒体５に所定の画像を印刷する。インクヘッド２２は、第１キャリッジ２１に搭載されている。インクヘッド２２は、第１キャリッジ２１の移動に伴って、主走査方向Ｙに移動可能に構成されている。ここでは、５つのインクヘッド２２が第１キャリッジ２１に搭載されている。ただし、インクヘッド２２の個数は５個に限定されない。
【００１８】
図２Ａに示すように、カッティングヘッドユニット３０は、第２キャリッジ３１と、カッティングヘッド３８とを備えている。カッティングヘッド３８は、ソレノイド３２と、カッター３３とを備えている。第２キャリッジ３１は、ガイドレール１５に係合している。第２キャリッジ３１は、主走査方向Ｙに関して第１キャリッジ２１の側方（ここでは左方）に配置されている。第２キャリッジ３１は、ガイドレール１５に沿って主走査方向Ｙに移動可能に構成されている。カッティングヘッド３８は、第２キャリッジ３１に搭載されている。カッター３３は、プラテン１６に載置された記録媒体５を切断する。ソレノイド３２は、制御装置８０（図１参照）によって制御される。ソレノイド３２がＯＮ／ＯＦＦされると、カッター３３は上下方向に移動して記録媒体５に接触し、あるいは記録媒体５から離反する。カッター３３は、第２キャリッジ３１の移動に伴って、主走査方向Ｙに移動可能に構成されている。
【００１９】
キャリッジ移動機構４０は、プラテン１６に載置された記録媒体５に対してインクヘッドユニット２０の第１キャリッジ２１およびカッティングヘッドユニット３０の第２キャリッジ３１を相対的に主走査方向Ｙに移動させる機構である。キャリッジ移動機構４０は、第１キャリッジ２１および第２キャリッジ３１を主走査方向Ｙに移動させる。なお、キャリッジ移動機構４０の構成は特に限定されない。図１に示すように、キャリッジ移動機構４０は、第１プーリ４１と、第２プーリ４２と、無端状のベルト４３と、キャリッジモータ４４とを備えている。第１プーリ４１は、ガイドレール１５の左端側に設けられている。第２プーリ４２は、ガイドレール１５の右端側に設けられている。ベルト４３は、第１プーリ４１と第１プーリ４２とに巻き掛けられている。ベルト４３は、第２キャリッジ３１（図２Ａ参照）の背面上部に固定されている。第２プーリ４２には、キャリッジモータ４４が接続されている。ただし、キャリッジモータ４４は、第１プーリ４１に接続されていてもよい。ここでは、キャリッジモータ４４が駆動して、第２プーリ４２が回転することで、第１プーリ４１と第２プーリ４２との間においてベルト４３が走行する。これにより、第２キャリッジ３１は主走査方向Ｙに移動する。即ち、キャリッジモータ４４は、第２キャリッジ３１を主走査方向Ｙに移動させる。後述するように、第１キャリッジ２１は、第２キャリッジ３１の移動に伴って主走査方向Ｙに移動する。キャリッジモータ４４は、第２キャリッジ３１を介して第１キャリッジ２１を間接的に主走査方向Ｙに移動させる。キャリッジモータ４４は、制御装置８０（図１参照）に制御される。
【００２０】
図２Ａに示すように、第１キャリッジ２１の左側部分には、磁石によって構成される第１連結部材２４が設けられている。第２キャリッジ３１の右側部分には、磁石によって構成される第２連結部材３４が固定されている。第１連結部材２４は、第２連結部材３４に対し、着脱自在に連結する。本実施形態では、第１連結部材２４および第２連結部材３４は、磁力を利用するものである。ただし、第１連結部材２４および第２連結部材３４は磁力を利用するものに限られず、係合部材等の他の構成を備えたものであってもよい。第１キャリッジ２１の右側には、Ｌ字状に形成された第１受け金具２５が設けられている。
【００２１】
図２Ａに示すように、プラテン１６の左方および右方には、それぞれ左サイドフレーム７Ｌおよび右サイドフレーム７Ｒが配置されている。右サイドフレーム７Ｒには、インクヘッドユニット２０を待機位置にロックするためのロック装置３５が設けられている。ロック装置３５は、第１受け金具２５に引っ掛けられる第２受け金具３６と、第２受け金具３６をロック位置（図２Ｂ参照）と非ロック位置（図２Ａ参照）との間で移動させるロック用ソレノイド３７（図３参照）とを備えている。ロック用ソレノイド３７は、制御装置８０によって制御される。
【００２２】
図２Ａに示すように、インクヘッド２２によって記録媒体５に所定の画像を印刷する際には、第２受け金具３６が非ロック位置に設定される。カッティングヘッドユニット３０の第２キャリッジ３１が右方に移動し、第２連結部材３４と第１連結部材２４とが接触すると、第２キャリッジ３１と第１キャリッジ２１とが連結される。その結果、インクヘッドユニット２０は、カッティングヘッドユニット３０と共に主走査方向Ｙに移動可能となる。即ち、キャリッジモータ４４が駆動することで、第１キャリッジ２１および第２キャリッジ３１が主走査方向Ｙに移動する。一方、カッター３３によって記録媒体５を切断する際には、図２Ｂに示すように、インクヘッドユニット２０が待機位置に位置付けられ、ロック装置３５の第２受け金具３６がロック位置に設定される。これにより、インクヘッドユニット２０の主走査方向Ｙの移動が阻止される。第２キャリッジ３１が左方へ移動すると、第２連結部材３４と第１連結部材２４とが離反し、第２キャリッジ３１と第１キャリッジ２１との連結が解除される。その結果、インクヘッドユニット２０が待機位置に待機した状態で、カッティングヘッドユニット３０のみが主走査方向Ｙに移動可能となる。即ち、キャリッジモータ４４が駆動することで、第２キャリッジ３１のみが主走査方向Ｙに移動する。
【００２３】
媒体移動機構５５は、プラテン１６に載置された記録媒体５をインクヘッド２２およびカッティングヘッド３８に対して副走査方向Ｘに移動させるものである。ここでは、媒体移動機構５５は、プラテン１６に載置された記録媒体５を副走査方向Ｘに移動させる。図４に示すように、媒体移動機構５５は、複数のグリットローラ５７と、フィードモータ５８（図３参照）と、一つのサイドピンチローラユニット６０と、複数のセンターピンチローラユニット７０と、保持シャフト４５と、回転機構４６（図１参照）と、昇降機構４７と、を備えている。
【００２４】
図４に示すように、グリットローラ５７は、プラテン１６に設けられている。グリットローラ５７は、グリットローラ５７の上部が外部に露出するようにプラテン１６に埋設されている。本実施形態では、プリンタ１０は、８個のグリットローラ５７を備えている。なお、グリットローラ５７の個数は８個に限定されない。グリットローラ５７は、駆動ローラの一例である。グリットローラ５７は、主走査方向Ｙに並列している。一部のグリットローラ５７は、後述するサイドピンチローラ６２の下方に配置されている。一部のグリットローラ５７は、サイドピンチローラ６２との間に記録媒体５を挟み込む。他の一部のグリットローラ５７は、後述するセンターピンチローラ７２の下方に配置されている。他の一部のグリットローラ５７は、センターピンチローラ７２との間に記録媒体５を挟み込む。フィードモータ５８（図３参照）は、グリットローラ５７に接続されている。フィードモータ５８は、制御装置８０（図１参照）に制御される。グリットローラ５７とサイドピンチローラ６２との間およびグリットローラ５７とセンターピンチローラ７２との間に記録媒体５が挟まれた状態で、フィードモータ５８が駆動してグリットローラ５７が回転すると、記録媒体５は副走査方向Ｘに搬送される。本実施形態では、グリットローラ５７とサイドピンチローラ６２との間およびグリットローラ５７とセンターピンチローラ７２との間に記録媒体５が挟まれた状態で、記録媒体５は上流側から下流側または下流側から上流側に移動する。
【００２５】
図５に示すように、サイドピンチローラユニット６０は、サイドピンチローラ６２と、第１保持部材６４とを備えている。図４に示すように、サイドピンチローラユニット６０は、プラテン１６より上方に配置されている。サイドピンチローラ６２は、記録媒体５の端部を上から押さえる。サイドピンチローラ６２は、グリットローラ５７と上下方向で対向するように、グリットローラ５７の上方に配置されている。サイドピンチローラ６２は、回動可能に構成されている。第１保持部材６４は、サイドピンチローラ６２を回転可能に支持する。第１保持部材６４は、サイドピンチローラ６２を上下方向に移動可能に支持する。図５に示すように、第１保持部材６４には、保持シャフト４５（図４参照）が取り付けられる凹部６５が形成されている。凹部６５は、側面視で略Ｕ字形状に形成されている。
【００２６】
本実施形態では、プリンタ１０は、サイドピンチローラ６２として左サイドピンチローラユニット６０Ｌおよび右サイドピンチローラユニット６０Ｒを備えている。左サイドピンチローラユニット６０Ｌおよび右サイドピンチローラユニット６０Ｒは、主走査方向Ｙに並列している。左サイドピンチローラユニット６０Ｌは、複数のセンターピンチローラユニット７０より左方に位置する。右サイドピンチローラユニット６０Ｒは、複数のセンターピンチローラユニット７０より右方に位置する。本実施形態では、左サイドピンチローラユニット６０Ｌの左サイドピンチローラ６２Ｌは、記録媒体５の左端部を上から押さえる。右サイドピンチローラユニット６０Ｒの右サイドピンチローラ６２Ｒは、記録媒体５の右端部を上から押さえる。左サイドピンチローラ６２Ｌおよび右サイドピンチローラ６２Ｒは、例えば、ゴム材料から形成されている。左サイドピンチローラ６２Ｌおよび右サイドピンチローラ６２Ｒのゴム硬度は、センターピンチローラ７２のゴム硬度より高い。ここで、ゴム硬度とは、例えばＪＩＳ  Ｋ６２５３に準拠しデュロメータのタイプＡにより温度２０℃で測定した値である。左サイドピンチローラ６２Ｌおよび右サイドピンチローラ６２Ｒのゴム硬度は、例えば、７５〜１００程度であり、センターピンチローラ７２のゴム硬度は、例えば、４５〜７０程度であり、左サイドピンチローラ６２Ｌおよび右サイドピンチローラ６２Ｒのゴム硬度は、センターピンチローラ７２のゴム硬度よりも約１．１〜２．２倍高い。図６に示すように、左サイドピンチローラ６２Ｌは、円錐台形状に形成されている。左サイドピンチローラ６２Ｌのうちセンターピンチローラ７２側（ここでは右方）に位置する第１面６２ＬＡの直径ＤＬ１は、主走査方向Ｙに関して第１面６２ＬＡの反対側に位置する第２面６２ＬＢの直径ＤＬ２より小さい。図７に示すように、右サイドピンチローラ６２Ｒは、円錐台形状に形成されている。右サイドピンチローラ６２Ｒのうちセンターピンチローラ７２側（ここでは左方）に位置する第１面６２ＲＡの直径ＤＲ１は、主走査方向Ｙに関して第１面６２ＲＡの反対側に位置する第２面６２ＲＢの直径ＤＲ２より小さい。
【００２７】
図８に示すように、センターピンチローラユニット７０は、センターピンチローラ７２と、第２保持部材７４とを備えている。図４に示すように、センターピンチローラユニット７０は、プラテン１６（図１参照）より上方に配置されている。センターピンチローラユニット７０は、左サイドピンチローラユニット６０Ｌと右サイドピンチローラユニット６０Ｒとの間に設けられている。センターピンチローラ７２は、記録媒体５（例えば記録媒体５の印刷領域）を上から押さえる。センターピンチローラ７２は、グリットローラ５７と上下方向で対向するように、グリットローラ５７の上方に配置されている。センターピンチローラ７２は、回動可能に構成されている。第２保持部材７４は、センターピンチローラ７２を回転可能に支持する。第２保持部材７４は、センターピンチローラ７２を上下方向に移動可能に支持する。図８に示すように、第２保持部材７４には、保持シャフト４５（図４参照）が取り付けられる凹部７５が形成されている。凹部７５は、側面視で略Ｕ字形状に形成されている。第２保持部材７４には、後述するフレーム部材１８の傾斜壁１８Ｌ（図１１参照）と接触する係止部７９が形成されている。係止部７９は、前斜め上方に向けて延びる部分を有する。
【００２８】
本実施形態では、プリンタ１０は、センターピンチローラユニット７０として６つのセンターピンチローラユニット７０Ａ、７０Ｂ、７０Ｃ、７０Ｄ、７０Ｅ、７０Ｆを備えているが、センターピンチローラユニット７０の個数はこれに限定されない。センターピンチローラユニット７０Ａ〜７０Ｆは、左方から右方に向けてこの順で、主走査方向Ｙに並列している。図９に示すように、センターピンチローラ７２は、円柱形状に形成されている。
【００２９】
図１０に示すように、保持シャフト４５は、主走査方向Ｙに延びる。保持シャフト４５は、ガイドレール１５より下方に配置されている。図１１に示すように、保持シャフト４５は、後述するフレーム部材１８より下方に配置されている。保持シャフト４５は、プラテン１６より上方に配置されている。保持シャフト４５は、断面形状が矩形状である。保持シャフト４５は、サイドピンチローラユニット６０およびセンターピンチローラユニット７０を保持する。保持シャフト４５は、サイドピンチローラ６２およびセンターピンチローラ７２を保持する。より詳細には、サイドピンチローラユニット６０の第１保持部材６４に形成された凹部６５に保持シャフト４５が係合している。センターピンチローラユニット７０の第２保持部材７４に形成された凹部７５に保持シャフト４５が係合している。サイドピンチローラユニット６０およびセンターピンチローラユニット７０は、主走査方向Ｙにおいて取り付け位置を変えることができるように、保持シャフト４５に対して摺動可能に設けられている。即ち、サイドピンチローラ６２およびセンターピンチローラ７２は、保持シャフト４５に沿って主走査方向Ｙに移動可能に設けられている。
【００３０】
図１に示すように、回転機構４６は、プラテン１６の右方に配置されている。回転機構４６は、保持シャフト４５の中心軸を軸にして保持シャフト４５を回転させる。なお、回転機構４６の構成は特に限定されない。例えば、回転機構４６は、図示しないリンク機構を介して保持シャフト４５の右端に接続されたレバー４６Ａを備えている。レバー４６Ａは、押し下げ、および、押し上げることが可能である。レバー４６Ａを押し下げることで、保持シャフト４５が回転し、サイドピンチローラ６２およびセンターピンチローラ７２をグリットローラ５７に対して接近させることができる。一方、レバー４６Ａを押し上げることで、保持シャフト４５が回転し、サイドピンチローラ６２およびセンターピンチローラ７２をグリットローラ５７に対して離反させることができる。回転機構４６は、回転手段の一例である。
【００３１】
昇降機構４７は、センターピンチローラ７２をプラテン１６に対して上昇および下降させる機構である。ここでは、昇降機構４７は、複数のセンターピンチローラ７２を同時に上昇および下降させるように構成されている。なお、昇降機構４７の構成は特に限定されない。例えば、図示は省略するが、昇降機構４７は、複数のセンターピンチローラユニット７０を連結させる連結部材と、リンク機構を介して上記連結部材に接続され、上記連結部材を上下方向に移動させる駆動モータを備えている。
【００３２】
図１１に示すように、ガイドレール１５の下部には、フレーム部材１８が設けられている。フレーム部材１８は、主走査方向Ｙに延びる。フレーム部材１８は、ガイドレール１５が固定される中央壁１４にネジ１４Ａによって固定されている。フレーム部材１８は、上下方向に延びる縦壁１８Ｋと、縦壁１８Ｋの下端から後斜め下方に延びる傾斜壁１８Ｌとを備えている。傾斜壁１８Ｌは、グリットローラ５７の上方には設けられていない。傾斜壁１８Ｌは、主走査方向Ｙに関してグリットローラ５７と重ならない位置に配置されている。傾斜壁１８Ｌは、センターピンチローラ７２の下方への移動を阻止する部材である。傾斜壁１８Ｌは、センターピンチローラ７２がグリットローラ５７に対して接近することを阻止する。傾斜壁１８Ｌは、ストッパーの一例である。傾斜壁１８Ｌは、センターピンチローラ７２の下方にグリットローラ５７が位置せずかつ保持シャフト４５が回転したときに、第２保持部材７４の係止部７９と接触する。このため、保持シャフト４５が回転しても、センターピンチローラ７２は下方へ移動しない。即ち、センターピンチローラ７２とグリットローラ５７とは接触しない。
【００３３】
図３に示すように、プリンタ１００の全体の動作は、制御装置８０によって制御されている。制御装置８０の構成は特に限定されない。制御装置８０は、例えばマイクロコンピュータである。マイクロコンピュータのハードウェアの構成は特に限定されないが、例えば、ホストコンピュータなどの外部機器から印刷データなどを受信するインターフェイス（Ｉ／Ｆ）と、制御プログラムの命令を実行する中央演算処理装置（ＣＰＵ：central processing unit）と、ＣＰＵが実行するプログラムを格納したＲＯＭ（read only memory）と、プログラムを展開するワーキングエリアとして使用されるＲＡＭ（random access memory）と、プログラムや各種データを格納するメモリなどの記憶装置と、を備えている。図１に示すように、制御装置８０は、プリンタ本体１００ａの内部に設けられている。ただし、制御装置８０はプリンタ本体１００ａの内部に設けられていなくてもよい。例えば、制御装置８０は、プリンタ本体１００ａの外部に設置されたコンピュータなどであってもよい。この場合、制御装置８０は、有線または無線を介してプリンタ１００と通信可能に接続されている。
【００３４】
図３に示すように、制御装置８０は、インクヘッド２２、ソレノイド３２、ロック用ソレノイド３７、フィードモータ５８、キャリッジモータ４４、操作パネル１２と通信可能に接続している。制御装置８０は、インクヘッド２２、ソレノイド３２、ロック用ソレノイド３７、フィードモータ５８およびキャリッジモータ４４を制御する。即ち、制御装置８０は、キャリッジ移動機構４０および媒体移動機構５５を制御する。
【００３５】
図３に示すように、制御装置８０は、記憶部８２と、第１設定部８４と、第１決定部８６と、第１通知部８８とを備えている。制御装置８０の各部の機能は、プログラムによって実現されている。このプログラムは、例えばＣＤやＤＶＤなどの記録媒体から読み込まれる。なお、このプログラムは、インターネットを通じてダウンロードされるものであってもよい。また、制御装置８０の各部の機能は、プロセッサおよび／または回路などによって実現可能なものであってもよい。なお、これら各部の具体的な機能については後述する。
【００３６】
記憶部８２は、記録媒体情報と、使用情報とが関連付けられたテーブルを記憶する。記録媒体情報は、記録媒体５に関する情報である。記録媒体情報には、例えば、記録媒体５の材質、記録媒体５のサイズ（例えば記録媒体５の幅、即ち記録媒体５の主走査方向Ｙの長さ。記録媒体５の厚み等。）、記録媒体５の硬度（柔らかめ、普通、硬め等の簡易情報を含む。）、記録媒体５の製品名、記録媒体５の型番、記録媒体５を製造するメーカー名等が含まれる。使用情報は、記録媒体５を副走査方向Ｘに移動させるときのセンターピンチローラ７２毎の使用または不使用の情報である。図１２は、記憶部８２に記憶されるテーブルＴの一例である。図１２に示すように、例えば、テーブルＴには、記録媒体Ａ〜Ｄに対するセンターピンチローラＡ〜Ｆの使用または不使用が予め設定されている。なお、図１２において、○はセンターピンチローラを使用することを表し、×はセンターピンチローラを使用しないこと（不使用）を表す。また、センターピンチローラＡ〜Ｆは、左方から右方に向けて順に並んでいる。本実施形態では、センターピンチローラＡは、センターピンチローラユニット７０Ａのセンターピンチローラ７２に相当し、センターピンチローラＦは、センターピンチローラユニット７０Ｆのセンターピンチローラ７２に相当する。テーブルＴにおいて、例えば、記録媒体Ｂを使用する場合には、センターピンチローラＡ、Ｃ、Ｄ、Ｆは使用され、かつ、センターピンチローラＢ、Ｅは使用されない。
【００３７】
第１設定部８４は、記録媒体情報を設定する。記録媒体情報の設定は、例えば、操作パネル１２を用いてユーザによって行われる。なお、記録媒体情報の設定は、プリンタ１０に接続された操作端末（例えばノート型のパソコン）を用いてユーザによって行われてもよい。記録媒体情報の設定は、例えば、記録媒体５に関する情報が一覧表示されたリストから選択することによって行われる。
【００３８】
第１決定部８６は、第１設定部８４によって設定された記録媒体情報と記憶部８２に記憶されたテーブルとに基づいて、記録媒体５を副走査方向Ｘに移動させるときに使用するセンターピンチローラ７２を決定する。例えば、図１２に示す例において、第１設定部８４によって記録媒体Ａが設定されたとき、第１決定部８６は、センターピンチローラＡ〜Ｆを使用するセンターピンチローラ７２として決定する。
【００３９】
第１通知部８８は、第１決定部８６によって決定された使用するセンターピンチローラ７２を通知する。即ち、第１通知部８８は、使用するセンターピンチローラ７２をユーザに通知する。第１通知部８８は、使用しないセンターピンチローラ７２をユーザに通知してもよい。なお、通知方法は特に限定されず、例えば、視覚的な表示、音声等による通知が挙げられる。本実施形態では、例えば、操作パネル１２の表示部１２Ａを通じて視覚的に作業者に対する通知を行う。即ち、表示部１２Ａに使用するセンターピンチローラ７２が表示される。例えば、第１通知部８８によって、使用するセンターピンチローラ７２としてセンターピンチローラＤ〜Ｆが通知された場合、本実施形態のプリンタ１００では、図１３に示すように、センターピンチローラユニット７２Ｄ、７２Ｅ、７２Ｆを使用する。即ち、記録媒体５を、左サイドピンチローラ６２Ｌ、右サイドピンチローラ６２Ｒおよびセンターピンチローラユニット７２Ｄ、７２Ｅ、７２Ｆのセンターピンチローラ７２とグリットローラ５７とによって挟む。このとき、例えば、ユーザはセンターピンチローラユニット７２Ａ、７２Ｂ、７２Ｃを保持シャフト４５に沿って主走査方向Ｙに移動させ、センターピンチローラユニット７２Ａ、７２Ｂ、７２Ｃがグリットローラ５７の上方からずれた位置に配置させる。ここでは、センターピンチローラユニット７２Ａ、７２Ｂ、７２Ｃは、それぞれ、主走査方向Ｙに関してグリットローラ５７の間に位置する。また、左サイドピンチローラ６２Ｌが記録媒体５の左端部を上から押さえてグリットローラ５７との間に記録媒体５を挟むように、左サイドピンチローラユニット６０Ｌを保持シャフト４５に沿って右方に移動させる。即ち、左サイドピンチローラユニット６０Ｌを、左から２つめのグリットローラ５７上に移動させる。この状態で、保持シャフト４５が回転すると、左サイドピンチローラ６２Ｌ、右サイドピンチローラ６２Ｒ、センターピンチローラユニット７２Ｄ、７２Ｅ、７２Ｆのセンターピンチローラ７２は、下方に移動してグリットローラ５７に接近する。一方、センターピンチローラユニット７２Ａ、７２Ｂ、７２Ｃのセンターピンチローラ７２は、傾斜壁１８Ｌに接触するため下方には移動しない（即ちグリットローラ５７に接近しない）。
【００４０】
以上のように、本実施形態のプリンタ１００によると、第１決定部８６は、第１設定部８４によって設定された記録媒体情報と記憶部８２に記憶されたテーブルとに基づいて、記録媒体５を副走査方向Ｘに移動させるときに使用するセンターピンチローラ７２を決定する。例えば、ユーザが記録媒体情報を設定することによって、記録媒体５の性質に合せて、該記録媒体５を副走査方向Ｘに移動させるときに使用されるセンターピンチローラ７２が決定される。そして、第１通知部８８は、第１決定部８６によって決定された使用するセンターピンチローラ７２を通知する。これにより、ユーザは、例えば使用しないセンターピンチローラ７２を媒体移動機構５５から取り外したり、使用しないセンターピンチローラ７２を媒体移動機構５５の所定の位置に移動させることによってグリットローラ５７との間に記録媒体５を挟み込めないようにしたりして、使用するセンターピンチローラ７２とグリットローラ５７とを用いて記録媒体５を適切に挟むことができる。この結果、副走査方向Ｘに移動する記録媒体５にシワが発生することが抑制される。このように、上記プリンタ１００によると、記録媒体情報を設定することによって、使用するセンターピンチローラ７２が決定されるため、記録媒体５を副走査方向Ｘに適切に移動させることができる。
【００４１】
本実施形態のプリンタ１００によれば、サイドピンチローラ６２およびセンターピンチローラ７２は、ゴム材料から形成されており、サイドピンチローラ６２のゴム硬度は、センターピンチローラ７２のゴム硬度より高い。センターピンチローラ７２は、記録媒体５のうち印刷領域に接触するため、センターピンチローラ７２とグリットローラ５７とによって記録媒体５を挟み込む力（即ちセンターピンチローラ７２がグリットローラ５７を押圧する力）は、比較的小さくしたい。このため、センターピンチローラ７２のゴム硬度をサイドピンチローラ６２のゴム硬度より低くすることによって、記録媒体５を挟み込む力を小さくしても記録媒体５を適切に移動させることができる。これにより、記録媒体５にシワが発生することが抑制される。
【００４２】
本実施形態のプリンタ１００によれば、左サイドピンチローラ６２Ｌおよび右サイドピンチローラ６２Ｒは、円錐台形状に形成され、センターピンチローラ７２は、円柱形状に形成されている。左サイドピンチローラ６２Ｌのうちセンターピンチローラ７２側に位置する第１面６２ＬＡの直径ＤＬ１は、主走査方向Ｙに関して第１面６２ＬＡの反対側に位置する第２面６２ＬＢの直径ＤＬ２より小さく、右サイドピンチローラ６２Ｒのうちセンターピンチローラ７２側に位置する第１面６２ＲＡの直径ＤＲ１は、主走査方向Ｙに関して第１面６２ＲＡの反対側に位置する第２面６２ＲＢの直径ＤＲ２より小さい。これにより、記録媒体５が副走査方向Ｘに移動するときに、各サイドピンチローラ６２Ｌ、６２Ｒにおいて主走査方向Ｙに関してセンターピンチローラ７２から離れる方向に記録媒体５を引っ張ることができるため、記録媒体５にシワが発生することを抑制することができる。
【００４３】
本実施形態のプリンタ１００は、センターピンチローラ７２がグリットローラ５７に対して接近することを阻止する傾斜壁１８Ｌを備えている。これにより、ユーザは、例えば使用しないセンターピンチローラ７２を傾斜壁１８Ｌと接触可能な位置に移動させることによって、保持シャフト４５を回転させてもセンターピンチローラ７２をグリットローラ５７に接近させないようにすることができる。
【００４４】
本実施形態のプリンタ１００によれば、傾斜壁１８Ｌは、主走査方向Ｙに関してグリットローラ５７と重ならない位置に配置されている。これにより、使用しないセンターピンチローラ７２を主走査方向Ｙに関してグリットローラ５７とずれた位置に移動させることで、保持シャフト４５を回転させても傾斜壁１８Ｌによってセンターピンチローラ７２をグリットローラ５７に接近させないようにすることができる。
【００４５】
本実施形態のプリンタ１００は、主走査方向Ｙに移動可能であり、プラテン１６に載置された記録媒体５を切断するカッター３３を有するカッティングヘッド３８を備えている。これにより、印刷時だけでなく記録媒体５をカッター３３によって切断するときにも記録媒体５にシワが発生することを抑制することができる。
【００４６】
＜第２実施形態＞
図１４は、第２実施形態に係るプリンタ２００の制御系のブロック図である。図１４に示すように、制御装置１８０は、搬送部９０、第２設定部９２、第２決定部９４および第２通知部９６をさらに備える点を除き、第１実施形態に係る制御装置８０と同様の構成である。制御装置１８０の各部の機能は、プログラムによって実現されている。このプログラムは、例えばＣＤやＤＶＤなどの記録媒体から読み込まれる。なお、このプログラムは、インターネットを通じてダウンロードされるものであってもよい。また、制御装置１８０の各部の機能は、プロセッサおよび／または回路などによって実現可能なものであってもよい。なお、これら各部の具体的な機能については後述する。
【００４７】
搬送部９０は、第１決定部８６によって決定された使用するセンターピンチローラ７２を用いて、プラテン１６に載置された記録媒体５を副走査方向Ｘにテスト搬送する。即ち、搬送部９０は、記録媒体５にインクヘッド２２からインクを吐出したり、カッター３３によって記録媒体５を切断したりする前に、事前に記録媒体５を副走査方向Ｘに移動させる。例えば、ユーザが操作パネル１２を操作することによって、記録媒体５のテスト搬送が行われる。
【００４８】
第２設定部９２は、テスト搬送された記録媒体５に発生したシワの情報であるシワ情報を設定する。シワ情報には、例えば、シワの程度を示す情報や、記録媒体５におけるシワの発生場所に関する場所情報等が含まれる。シワ情報の設定は、例えば、操作パネル１２を用いてユーザによって行われる。なお、シワ情報の設定は、プリンタ１０に接続された操作端末を用いてユーザによって行われてもよい。シワ情報の設定は、例えば、記録媒体の位置情報が一覧表示されたリストから選択したり、シワの程度を一覧から選択したりすることによって行われる。
【００４９】
第２決定部９４は、第１設定部８４によって設定された記録媒体情報と記憶部８２に記憶されたテーブルと第２設定部９２によって設定されたシワ情報とに基づいて、記録媒体５を副走査方向Ｘに移動させるときに使用する複数のセンターピンチローラ７２の中から使用しないセンターピンチローラ７２を決定する。第２決定部９４は、例えば、複数のセンターピンチローラ７２から記録媒体５に加わる押圧力が均等となるように、使用しないセンターピンチローラ７２を決定する。また、第２決定部９４は、例えば、シワ情報のうち場所情報に基づいて、テスト搬送で使用されたセンターピンチローラ７２のうち発生したシワに最も近いセンターピンチローラ７２を使用しないセンターピンチローラ７２としてもよい。例えば、図１２に示す例において、記録媒体Ａをテスト搬送するときに、センターピンチローラＤの近くでシワが発生した場合、第２決定部９４は、センターピンチローラＤを使用しないセンターピンチローラ７２とする。
【００５０】
第２通知部９６は、第２決定部９４によって決定された使用しないセンターピンチローラ７２を通知する。第２通知部９６は、使用するセンターピンチローラ７２をユーザに通知してもよい。なお、通知の方法は、第１通知部８８による通知の方法と同様である。
【００５１】
本実施形態のプリンタ２００によれば、第２決定部９４は、第１設定部８４によって設定された記録媒体情報と記憶部８２に記憶されたテーブルと第２設定部９２によって設定されたシワ情報とに基づいて、記録媒体５を副走査方向Ｘに移動させるときに使用する複数のセンターピンチローラ７２の中から使用しないセンターピンチローラ７２を決定する。通常は、第１決定部８６によって決定されたセンターピンチローラ７２を用いて、プラテン１６に載置された記録媒体５を副走査方向Ｘにテスト搬送しても、記録媒体５にシワが発生することは抑制される。しかしながら、プリンタ２００の環境温度や記録媒体５の状態（記録媒体５の温度等）によっては、記録媒体５にシワが発生し得る。このため、例えば、ユーザがシワ情報を設定することによって、記録媒体５の状態に合せて、該記録媒体５を副走査方向Ｘに移動させるときに使用されないセンターピンチローラ７２が決定される。そして、第２通知部９６は、第２決定部９４によって決定された使用しないセンターピンチローラ７２を通知する。これにより、ユーザは、例えば使用しないセンターピンチローラ７２を媒体移動機構５５から取り外したり、使用しないセンターピンチローラ７２を媒体移動機構５５の所定の位置に移動させることによってセンターピンチローラ７２とグリットローラ５７との間に記録媒体５を挟み込めないようにしたりして、使用するセンターピンチローラ７２とグリットローラ５７とを用いて記録媒体５をより適切に挟むことができる。この結果、副走査方向Ｘに移動する記録媒体５にシワが発生することがよりよく抑制される。
【００５２】
本実施形態のプリンタ１０によれば、シワ情報には、シワの発生場所に関する場所情報が含まれ、第２決定部９４は、場所情報に基づいて、テスト搬送で使用されたセンターピンチローラ７２のうち発生したシワに最も近いセンターピンチローラ７２を使用しないセンターピンチローラ７２としてもよい。これにより、副走査方向Ｘに移動する記録媒体５にシワが発生することがよりよく抑制され得る。
【００５３】
以上、本発明の好適な実施形態について説明した。しかし、上述の各実施形態は例示に過ぎず、本発明は他の種々の形態で実施することができる。
【００５４】
上述した実施形態では、カッティングヘッド付きインクジェットプリンタを例に説明したが、カッティングヘッドを備えていないプリンタであってもよい。
【００５５】
上述した実施形態では、保持シャフト４５の回転に伴って全てのセンターピンチローラ７２がグリットローラ５７に接近または離反するように構成されていたが、これに限定されない。図示しないリンク機構等によって各センターピンチローラ７２を単独でグリットローラ５７に接近または離反させるように構成されていてもよい。
【００５６】
上述した実施形態では、使用しないセンターピンチローラ７２は、ユーザが保持シャフト４５に沿って移動させていたが、図示しないリンク機構等によってセンターピンチローラ７２を自動で保持シャフト４５に沿って移動させてもよい。
【００５７】
上述した実施形態では、記録媒体情報の設定はユーザによって行われていたが、例えば、記録媒体５に予め設けられた識別標識（例えば二次元コード）をプリンタ１００に設けられたリーダによって読み取ることで自動的に設定されてもよい。
【符号の説明】
【００５８】
１６  プラテン
２２  インクヘッド
５７  グリットローラ
６２  サイドピンチローラ
７２  センターピンチローラ
８０  制御装置
８２  記憶部
８４  第１設定部
８６  第１決定部
８８  第１通知部
１００  プリンタ
【図１】
2020116924.tif 000003
【図２Ａ】
2020116924.tif 000004
【図２Ｂ】
2020116924.tif 000005
【図３】
2020116924.tif 000006
【図４】
2020116924.tif 000007
【図５】
2020116924.tif 000008
【図６】
2020116924.tif 000009
【図７】
2020116924.tif 000010
【図８】
2020116924.tif 000011
【図９】
2020116924.tif 000012
【図１０】
2020116924.tif 000013
【図１１】
2020116924.tif 000014
【図１２】
2020116924.tif 000015
【図１３】
2020116924.tif 000016
【図１４】
2020116924.tif 000017
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
記録媒体が載置される載置台と、
主走査方向に移動可能であり、前記載置台に載置された前記記録媒体にインクを吐出するインクヘッドと、
前記載置台に載置された前記記録媒体を前記主走査方向と交わる副走査方向に移動させる媒体移動機構と、
前記インクヘッドおよび前記媒体移動機構を制御する制御装置と、を備え、
前記媒体移動機構は、
前記載置台より上方に配置され、前記記録媒体の前記主走査方向の両端部を押さえる一対のサイドピンチローラと、
前記一対のサイドピンチローラの間に設けられ、前記記録媒体を押さえる複数のセンターピンチローラと、
前記主走査方向に並び、前記サイドピンチローラおよび前記センターピンチローラより下方に配置され、前記サイドピンチローラとの間および前記センターピンチローラとの間に前記記録媒体を挟んで前記記録媒体を前記副走査方向に移動させる複数の駆動ローラと、
表示装置と、を備え、
前記制御装置は、
前記記録媒体に関する情報である記録媒体情報と、前記記録媒体を前記副走査方向に移動させるときの前記センターピンチローラ毎の使用または不使用の情報である使用情報とが関連付けられ、かつ、１以上の前記センターピンチローラが使用されかつ１以上の前記センターピンチローラが使用されない組み合わせを含むテーブルを記憶する記憶部と、
前記記録媒体情報を設定する第１設定部と、
前記第１設定部によって設定された前記記録媒体情報と前記テーブルとに基づいて、前記記録媒体を前記副走査方向に移動させるときに使用する前記センターピンチローラを決定する第１決定部と、
前記第１決定部によって決定された使用する前記センターピンチローラを、前記表示装置を介してユーザに通知する第１通知部と、を備えている、インクジェットプリンタ。
【請求項２】
前記サイドピンチローラおよび前記センターピンチローラは、ゴム材料から形成されており、
前記サイドピンチローラのゴム硬度は、前記センターピンチローラのゴム硬度より高い、請求項１に記載のインクジェットプリンタ。
【請求項３】
前記サイドピンチローラは、円錐台形状に形成され、
前記センターピンチローラは、円柱形状に形成され、
前記サイドピンチローラのうち前記センターピンチローラ側に位置する第１面の直径は、前記主走査方向に関して前記第１面の反対側に位置する第２面の直径より小さい、請求項１または２に記載のインクジェットプリンタ。
【請求項４】
前記制御装置は、
前記第１決定部によって決定された使用する前記センターピンチローラを用いて、前記載置台に載置された前記記録媒体を前記副走査方向にテスト搬送する搬送部と、
テスト搬送された前記記録媒体に発生したシワの情報であるシワ情報を設定する第２設定部と、
前記第１設定部によって設定された前記記録媒体情報と前記テーブルと前記シワ情報とに基づいて、前記記録媒体を前記副走査方向に移動させるときに使用する複数の前記センターピンチローラの中から使用しない前記センターピンチローラを決定する第２決定部と、
前記第２決定部によって決定された使用しない前記センターピンチローラを、前記表示装置を介してユーザに通知する第２通知部と、を備えている、請求項１から３のいずれか一項に記載のインクジェットプリンタ。
【請求項５】
前記シワ情報には、シワの発生場所に関する場所情報が含まれ、
前記第２決定部は、前記場所情報に基づいて、テスト搬送で使用された前記センターピンチローラのうち発生した前記シワに最も近い前記センターピンチローラを使用しないセンターピンチローラとする、請求項４に記載のインクジェットプリンタ。
【請求項６】
前記媒体移動機構は、
前記主走査方向に延び、前記一対のサイドピンチローラおよび複数の前記センターピンチローラを保持する保持シャフトと、
前記サイドピンチローラおよび前記センターピンチローラを前記駆動ローラに対して接近および離反させるように前記保持シャフトを回転させる回転手段と、を備え、
前記センターピンチローラが前記駆動ローラに対して接近することを阻止するストッパーを備えている、請求項１から５のいずれか一項に記載のインクジェットプリンタ。
【請求項７】
前記センターピンチローラは、前記保持シャフトに沿って前記主走査方向に移動可能に設けられ、
前記ストッパーは、前記主走査方向に関して前記駆動ローラと重ならない位置に配置されている、請求項６に記載のインクジェットプリンタ。
【請求項８】
請求項１から７のいずれか一項に記載のインクジェットプリンタと、
前記主走査方向に移動可能であり、前記載置台に載置された前記記録媒体を切断するカッターを有するカッティングヘッドと、を備えている、カッティングヘッド付きインクジェットプリンタ。